(57)【特許請求の範囲】
【請求項１】
シリコン基板の主表面に形成する電極部材が、第１の電極膜のモリブデンシリサイド膜と、第２の電極膜のアルミニウムを主成分としシリコン含有量が１〜２％のアルミニウム膜と、第３の電極膜のアルミニウムを主成分としシリコン含有量が０.１％以下であるアルミニウム膜との３層の金属膜から形成されており、前記電極膜上に固着されたワイヤ電極を有すると共に、前記第２の電極膜のアルミニウム膜の厚さが０.０５〜２.０μｍの範囲であることを特徴とする半導体装置。
【請求項２】
請求項１に記載の半導体装置において、
モリブデンシリサイド膜とシリコン含有量が異なる２層のアルミニウム膜の３層からなる金属膜を一貫してスパッタリングにより形成することを特徴とする半導体装置。
【請求項３】
請求項１に記載の半導体装置において、
ゲート構造が電子回路内に形成され、その表面に電極となる金属膜を堆積する構造を有することを特徴とする半導体装置。
【発明の詳細な説明】
【０００１】
【発明の属する技術分野】
本発明は、半導体装置の電極膜に関する。
【０００２】
【従来の技術】
大電流を制御する半導体装置、たとえば絶縁ゲート型バイポーラトランジスタ（以後ＩＧＢＴと称する）およびダイオードなどは、シリコン基板の一方の表面に電子回路が形成され、この表面電極膜上にアルミワイヤ電極を直接ワイヤボンディングする構造となっている。ＩＧＢＴの大電流化にともない、ワイヤボンディング領域の箇所を増加し、かつアルミワイヤ径も５００μｍ程度と大きくすることが必要となってきている。
【０００３】
従来、ＩＧＢＴの表面電極膜にはシリコン含有量が１〜２％のアルミニウム膜（以後アルミ・シリコン膜と称する）のみの単層膜が使用されていたが、アルミ・シリコン膜が高温で熱処理されるとシリコンの再結晶により固相成長したシリコン析出粒が形成される。この状態で超音波ワイヤボンディング装置を使用して表面電極膜上にワイヤ電極を固着すると、シリコン析出粒を起点として酸化膜にクラックが発生し、ゲート・エミッタ間の耐圧劣化を招く。そのためにワイヤ電極を表面電極膜上に固着する強度を抑える必要が有り、ワイヤ電極の接着性の信頼性に問題があった。
【０００４】
その対策として、従来は、例えば特開平10−12571 号に記載のようにシリコン基板上の表面電極膜としてモリブデンシリサイド膜とシリコン含有量が０.１％以下のアルミニウム膜（以後アルミニウム膜と称する）の２層構造とすることによりシリコン基板とモリブデンシリサイド膜との界面、および、モリブデンシリサイド膜とアルミニウム膜との界面にシリコン析出粒が形成されない構造として超音波ワイヤボンディング強度を向上させていた。
【０００５】
【発明が解決しようとする課題】
上記従来技術でのモリブデンシリサイド膜とアルミニウム膜の電極構造では、モリブデンとアルミニウムとの相互拡散層が深く形成されるため、この拡散層をエッチングするには、メタルドライエッチング装置にてＣｌ系のガスで加工する必要があり加工性が著しく低下する問題があった。
【０００６】
本発明の目的は、電極膜形成後のホトエッチング加工性が良好な表面電極を持った半導体装置を提供することにある。
【０００７】
【課題を解決するための手段】
上記の目的を達成するために、本発明による半導体装置においては、シリコン基板の表面電極膜がモリブデンシリサイド膜，アルミ・シリコン膜，アルミニウム膜の３層からなる金属膜が形成され、かつ、アルミ・シリコン膜の厚さが0.05〜２.０μｍであることを特徴とする。
【０００８】
さらに、前記構造において、モリブデンシリサイド膜，アルミ・シリコン膜，アルミニウム膜の３層からなる金属膜を一貫してスパッタリング装置により形成することを特徴とする。
【０００９】
【発明の実施の形態】
本発明者は、大電流半導体装置である縦形ＩＧＢＴにおいて、従来、表面電極として使用され問題となっていた▲１▼アルミ・シリコン膜単層膜でのシリコン析出粒を起点とするワイヤボンディング時のゲート酸化膜破壊による耐圧劣化および前記を防止するためにのワイヤ接着性の低下、▲２▼モリブデンシリサイド膜とアルミニウム膜の２層構造での相互拡散層の形成による金属膜加工性の低下の２点を解決するために縦形ＩＧＢＴを用いて、表面電極膜構造に関しての実験を重ねた結果、以下のような知見が得られた。
【００１０】
表面電極膜を、１層目のモリブデンシリサイド膜を０.１μｍ として、２層目となるアルミ・シリコン膜の厚さを０.０１μｍから０.５μｍまで増加させ、３層目のアルミニウム膜を６.０μｍ 形成した時の１層目と２層目に形成される相互拡散層の深さを図５に示す。熱処理は、４５０℃とした時の実験結果であり、アルミ・シリコン厚さが０.０５μｍ 以上であれば相互拡散層の深さを１０ｎｍ以下にすることが可能となり、相互拡散層とモリブデンシリサイド膜のエッチングがＣＦ4＋Ｏ2 ガスにより除去可能である。
【００１１】
さらに、１層目のモリブデンシリサイド膜と２層目のアルミ・シリコン膜との界面に発生するシリコン析出粒の大きさについて実験した結果を図６，図７に示す。図６に示すように、界面に析出するシリコン析出粒径が大きくなると、ワイヤボンディング後の不良率は増加していく。なお、ワイヤボンディング強度は、モリブデンシリサイド膜とアルミニウム膜の２層構造での条件としている。
【００１２】
つぎに図７に示すように、アルミ・シリコン膜が厚くなるとシリコン析出粒径も大きくなる。すなわち、ワイヤボンディング後の耐圧不良を防ぐためには、シリコン析出粒径を１.０μｍ 以下にする必要があり、さらに、このシリコン析出粒径を１.０μｍ以下とするためには、アルミ・シリコン膜厚を２.０μｍ以下にすればよいといえる。
【００１３】
なお、３層目のアルミニウム膜厚については、ビッカース硬度が１５.６ でありアルミ・シリコン膜の３１.４ に比べて非常に軟らかいため、このアルミニウム膜を厚くするほどアルミワイヤ電極を表面電極上にボンディングする時の衝撃を吸収する効果が大きくなる。
【００１４】
さらに、前記構造での表面電極とアルミワイヤ電極との接着性の信頼性について図８に示す。パワーサイクル耐量は、アルミ・シリコン膜の単層膜に比べ約２倍パワーサイクル耐量を向上させることが可能となり、モリブデンシリサイド膜とアルミニウム膜との２層構造と同等である。
【００１５】
以下、図面を用いて本発明の実施例について詳しく説明する。
【００１６】
（実施例１）
図１は本発明の表面電極膜を適用した縦形ＩＧＢＴの主要拡大断面図である。
縦形ＩＧＢＴは図１に示されているように、電子回路としての絶縁ゲート型バイポーラトランジスタがシリコン基板内に形成されているペレット１００とアルミワイヤ電極がゲート電極２２とｎ型エミッタ層１４に電気的に接続され、図示されてはいないが裏面電極膜が半田層を介して固定部材に接続され、外部電極と電気的に接続された構造からなっている。
【００１７】
以下に、シリコン基板に形成されたＩＧＢＴペレット１００について図２を用いて説明する。
【００１８】
（１）ＩＧＢＴペレット１００は、低濃度ｎ型ベース層１２とｐ型ベース層１１からなるシリコン基板を使用する。
【００１９】
（２）一方の主表面にゲート酸化膜２１と多結晶シリコンからなるゲート電極２２を堆積，加工し、その表面に層間絶縁膜２３を堆積，加工し、絶縁ゲート構造が作られる。
【００２０】
（３）シリコン基板の低濃度ｎ型ベース層１２内にｐ型ベース層１３を形成した後にこのｐ型ベース層１３の内側にｎ型エミッタ層１４を形成する。
【００２１】
（４）ｎ型エミッタ層１４に接するようにモリブデンシリサイド膜１０１，アルミ・シリコン膜１０２，アルミニウム膜１０３の３層構造からなる表面電極膜１を形成する。さらに、図示はされていないが、表面電極膜を覆うようにポリイミド膜からなる絶縁保護膜を形成する。
【００２２】
（５）シリコン基板のもう一方の面である高濃度ｐ型エミッタ層１１側面にアルミニウム層，チタン層，ニッケル層，金層の４層からなる裏面電極膜３１を形成する。
【００２３】
表面電極膜１の表面上には、アルミワイヤ電極が超音波ワイヤボンディング装置により固着され、もう一方の裏面電極膜３１側は、半田層を介して固定部材に接続される。
【００２４】
以下に前記構成でのＩＧＢＴペレットの製作工程における表面電極膜の形成方法について説明する。
【００２５】
（１）シリコン基板の表面に絶縁ゲート構造を形成し、ｐ型ベース層とｎ型エミッタ層を形成した後、シリコン基板表面をフッ酸：弗化アンモン＝１：２０の溶液を用いて自然酸化膜を除去する。
【００２６】
（２）モリブデンシリサイド膜，アルミ・シリコン膜，アルミニウム膜を連続スパッタリング可能な装置を用いて、モリブデンシリサイド膜０.１μｍ ，アルミ・シリコン膜０.５μｍ，アルミニウム膜６.０μｍを順次連続してスパッタリングにて成膜する。なお、スパッタリング時のシリコン基板加熱温度は、モリブデンシリサイド膜では２００℃，アルミ・シリコン膜，アルミニウム膜では２７０℃とした。また、アルミ・シリコン膜の厚さは前述のように相互拡散層深さを抑えて、かつシリコン析出粒径を小さくするために０.５μｍとした。
【００２７】
（３）次に所定の形状に加工するため、ホトエッチング作業を実施する。アルミニウム膜とアルミ・シリコン膜は、アルミエッチ液によりエッチング除去し、相互拡散層とモリブデンシリサイド膜は、ＣＦ4 ＋Ｏ2 ガスを使用するドライエッチ装置にて除去する。なお、従来技術では、図４に示すようにモリブデン・アルミニウム相互拡散層２０１が３０ｎｍ形成されていたため、ＣＬ系ガスを使用する金属膜エッチング専用装置を使用する必要性がある。
【００２８】
上記記載の方法により形成されたＩＧＢＴの表面電極膜構造とした結果、ワイヤ電極を固着する超音波ワイヤボンディング装置の接着強度を従来のアルミ・シリコン単層膜の１.２ 倍とすることにより、ゲート酸化膜などの破壊を防止し、かつ表面電極とワイヤのせん断強度を１.４倍にすることができた。
【００２９】
前述のようにせん断強度を向上させたことにより、表面電極とワイヤ電極との接着性の信頼性を評価するパワーサイクル耐量も従来構造のアルミ・シリコン単層膜のおよそ２倍の結果が得られた。
【００３０】
なお、ＩＧＢＴの電気的特性についても従来と同等の歩留を確保することができた。
【００３１】
【発明の効果】
以上詳述したように、表面電極膜構造をモリブデンシリサイド膜，アルミ・シリコン膜，アルミニウム膜の３層構造とすることにより、表面電極膜のホトエッチング加工性を向上させることができた。
【図面の簡単な説明】
【図１】本発明の第１実施例の断面図。
【図２】ＩＧＢＴペレットの製造工程断面図。
【図３】従来技術の断面図１。
【図４】従来技術の断面図２。
【図５】アルミ・シリコン膜厚と相互拡散層深さの関係。
【図６】シリコン析出粒径と耐圧不良率の関係。
【図７】アルミ・シリコン膜厚とシリコン析出粒径の関係。
【図８】パワーサイクル耐量の評価結果。
【符号の説明】
１…表面電極膜、１１…ｐ型エミッタ層、１２…ｎ型ベース層、１３…ｐ型ベース層、１４…ｎ型エミッタ層、２１…ゲート酸化膜、２２…ゲート電極、２３…層間絶縁膜、３１…裏面電極膜、４１…ワイヤ電極、５１…シリコン析出粒、１００…半導体装置、１０１…モリブデンシリサイド膜、１０２…アルミ・シリコン膜、１０３…アルミニウム膜、２０１…モリブデン・アルミニウム相互拡散層。
【図１】
0004231580.tif 000002
【図２】
0004231580.tif 000003
【図３】
0004231580.tif 000004
【図４】
0004231580.tif 000005
【図５】
0004231580.tif 000006
【図６】
0004231580.tif 000007
【図７】
0004231580.tif 000008
【図８】
0004231580.tif 000009